【手続補正書】
【提出日】平成28年4月12日(2016.4.12)
【手続補正１】
【補正対象書類名】特許請求の範囲
【補正対象項目名】全文
【補正方法】変更
【補正の内容】
【特許請求の範囲】
【請求項１】
デジタル放送番組のＭＰＥＧトランスポートストリームを送信する送信装置と、送信されたＭＰＥＧトランスポートストリームを受信する受信装置と、を備える送受信システムであって、
前記送信装置は、
デジタル放送番組の映像を符号化して映像エレメンタリーストリームを生成する映像エレメンタリーストリーム生成部と、
デジタル放送番組の番組情報を記述したイベントインフォメーションテーブルを生成する情報生成部と、
前記イベントインフォメーションテーブルと、前記映像エレメンタリーストリームとを含むＭＰＥＧトランスポートストリームを生成するＭＰＥＧトランスポートストリーム生成部と、
前記ＭＰＥＧトランスポートストリーム生成部で生成された前記ＭＰＥＧトランスポートストリームを送信する送信部とを備え、
前記イベントインフォメーションテーブルには、将来放送されるデジタル放送番組についての番組情報が含まれており、
前記将来放送されるデジタル放送番組についての番組情報は、前記将来放送されるデジタル放送番組が３Ｄ映像を含むかどうかを示す情報を含み、
前記デジタル放送番組のＭＰＥＧトランスポートストリームの映像エレメンタリーストリームには、識別情報を配置することができ、
前記識別情報は、前記デジタル放送番組の映像エレメンタリーストリーム内の映像が３Ｄ映像であるか２Ｄ映像であるかを識別するためのものであって、ピクチャー単位での映像の識別を可能とするために、前記映像エレメンタリーストリーム内にピクチャー単位で配置可能な情報であり、
前記受信装置は、
送信された前記デジタル放送番組の前記ＭＰＥＧトランスポートストリームを受信する受信部と、
前記受信部で受信した前記ＭＰＥＧトランスポートストリームの前記映像エレメンタリーストリームを復号する復号部と、
前記受信部で受信した前記ＭＰＥＧトランスポートストリームの前記イベントインフォメーションテーブルに基づく番組情報または前記復号部で復号した映像を出力する出力部と、
前記受信部と前記復号部と前記出力部とを制御する制御部とを備え、
前記制御部による制御状態には、
前記受信部で受信したデジタル放送番組のイベントインフォメーションテーブルに含まれる将来送信されるデジタル放送番組についての番組情報を用いて、将来送信されるデジタル放送番組とについての番組情報の一覧表示を出力するように制御する第１の制御状態と、
前記デジタル放送番組のＭＰＥＧトランスポートストリームの映像エレメンタリーストリーム内に配置される前記識別情報に応じて、前記デジタル放送番組の映像エレメンタリーストリームを復号した映像の出力状態を変更して該映像を出力するように制御する第２の制御状態と、があり、
前記制御部の制御による前記第１の制御状態で出力する番組情報の一覧表示において可能な表示状態には、
前記将来放送されるデジタル放送番組について、
前記将来放送されるデジタル放送番組についての番組情報に含まれる、前記将来放送されるデジタル放送番組が３Ｄ映像を含むかどうかを示す情報が前記将来放送されるデジタル放送番組に３Ｄ映像が含まれていることを示しているときに、前記将来放送されるデジタル放送番組が３Ｄ映像を含むことを示す表示を行う第１の表示状態と、
前記将来放送されるデジタル放送番組についての番組情報に含まれる、前記将来放送されるデジタル放送番組が３Ｄ映像を含むかどうかを示す情報が前記将来放送されるデジタル放送番組に３Ｄ映像が含まれていることを示していないときに、前記将来放送されるデジタル放送番組が３Ｄ映像を含むことを示す表示を行わない第２の表示状態とがあり、
将来放送される複数の番組についての番組情報を一覧表示し、
当該一覧表示において、前記将来放送される複数のデジタル放送番組のそれぞれの番組情報の表示状態を前記第１の表示状態または第２の表示状態のいずれかとすることにより、前記将来放送される複数のデジタル放送番組が３Ｄ映像を含むかどうかを示す情報の表示が可能である
ことを特徴とする送受信システム。
【請求項２】
デジタル放送番組のＭＰＥＧトランスポートストリームを送信装置が送信し、送信されたＭＰＥＧトランスポートストリームを受信装置が受信する送受信方法であって、
前記送信装置において、
デジタル放送番組の映像を符号化して映像エレメンタリーストリームを生成する映像エレメンタリーストリーム生成ステップと、
デジタル放送番組の番組情報を記述したイベントインフォメーションテーブルを生成する情報生成ステップと、
前記イベントインフォメーションテーブルと、前記映像エレメンタリーストリームとを含むＭＰＥＧトランスポートストリームを生成するＭＰＥＧトランスポートストリーム生成ステップと、
前記ＭＰＥＧトランスポートストリーム生成ステップで生成された前記ＭＰＥＧトランスポートストリームを送信する送信ステップとを実行し、
前記番組情報には、将来放送されるデジタル放送番組についての番組情報が含まれており、
前記将来放送されるデジタル放送番組についての番組情報は、前記将来放送されるデジタル放送番組が３Ｄ映像を含むかどうかを示す情報を含み、
前記デジタル放送番組のＭＰＥＧトランスポートストリームの映像エレメンタリーストリームには、識別情報を配置することができ、
前記識別情報は、前記デジタル放送番組の映像エレメンタリーストリーム内の映像が３Ｄ映像であるか２Ｄ映像であるかを識別するためのものであって、ピクチャー単位での映像の識別を可能とするために、前記映像エレメンタリーストリーム内にピクチャー単位で配置可能な情報であり、
前記受信装置において、
送信された前記デジタル放送番組の前記ＭＰＥＧトランスポートストリームを受信する受信ステップと、
前記受信ステップで受信した前記ＭＰＥＧトランスポートストリームの前記映像エレメンタリーストリームを復号する復号ステップと、
前記受信ステップで受信した前記ＭＰＥＧトランスポートストリームの前記イベントインフォメーションテーブルに基づく番組情報または前記復号ステップで復号した映像を出力する出力ステップとを実行し、
前記出力ステップにおける出力状態には、
前記受信ステップで受信したデジタル放送番組のイベントインフォメーションテーブルに含まれる将来送信されるデジタル放送番組についての番組情報を用いて、将来送信されるデジタル放送番組についての番組情報の一覧表示を出力するように制御する第１の制御状態と、
前記デジタル放送番組のＭＰＥＧトランスポートストリームの映像エレメンタリーストリーム内に配置される前記識別情報に応じて、前記デジタル放送番組の映像エレメンタリーストリームを復号した映像の出力状態を変更して該映像を出力するように制御する第２の制御状態と、があり、
前記出力ステップの第１の制御状態で出力する番組情報の一覧表示において可能な表示状態には、
前記将来放送されるデジタル放送番組について、
前記将来放送されるデジタル放送番組についての番組情報に含まれる、前記将来放送されるデジタル放送番組が３Ｄ映像を含むかどうかを示す情報が前記将来放送されるデジタル放送番組に３Ｄ映像が含まれていることを示しているときに、前記将来放送されるデジタル放送番組が３Ｄ映像を含むことを示す表示を行う第１の表示状態と、
前記将来放送されるデジタル放送番組についての番組情報に含まれる、前記将来放送されるデジタル放送番組が３Ｄ映像を含むかどうかを示す情報が前記将来放送されるデジタル放送番組に３Ｄ映像が含まれていることを示していないときに、前記将来放送されるデジタル放送番組が３Ｄ映像を含むことを示す表示を行わない第２の表示状態とがあり、
将来放送される複数のデジタル放送番組についての番組情報を一覧表示し、
当該一覧表示において、前記将来放送される複数のデジタル放送番組のそれぞれの番組情報の表示状態を前記第１の表示状態または第２の表示状態のいずれかとすることにより、前記将来放送される複数のデジタル放送番組が３Ｄ映像を含むかどうかを示す情報の表示が可能である
ことを特徴とする送受信方法。